(57)【要約】【課題】弁体、弁座が破損しても、吐出口から所定温度範囲を超える混合水（高温の湯）が吐出されることのない高温出湯防止弁を提供する。【解決手段】高温出湯防止弁１において、調整螺子５０には、調整バネ４０の端部が接する鍔部５２が形成され、また弁体１０には、円筒状の弁体部１１と、前記弁体部の下方に位置し、前記アクチュエータ３０の一端が当接するリング状の支持リング部１２と、前記弁体部１１と支持リング部１２とを連結するリブ１３とが形成され、更に、前記調整螺子５０の鍔部５２の機械的強度を、弁体１０のリブ１３の機械的強度よりも小さく形成したことを特徴とする。【選択図】図１
2008249069.tif 000002
【特許請求の範囲】
【請求項１】
給湯口、給水口及び吐出口を備えたハウジングと、前記ハウジングの内部に進退可能に形成された弁体と、前記弁体が近づくことにより給湯口からの湯流路が狭まり、弁体が離れることにより湯流路が拡がる弁座と、前記給湯口からの湯と給水口からの水とが混合され、その混合された湯温度を感知して弁体を進退作動させるアクチュエータと、前記弁体に一端が接する、吐出口から吐出する湯の温度を調整する調整バネと、前記弁座に螺合し、螺合位置を変えることによって前記調整バネの長さを変える調整螺子とを備えた高温出湯防止弁であって、
前記調整螺子は、前記弁座の螺子部と螺合する螺子部が形成された頭部と、前記頭部よりも下方に設けられた、調整バネの他端部が接する鍔部とを備え、
前記弁体は、円筒状の弁体部と、前記弁体部の下方に位置し、前記アクチュエータの一端が当接するリング状の支持リング部と、前記弁体部と支持リング部とを連結するリブとを備え、
前記調整螺子の鍔部の機械的強度を、弁体のリブの機械的強度よりも小さく形成したことを特徴とする高温出湯防止弁。
【請求項２】
前記調整螺子の鍔部は径方向に形成され、調整バネ、アクチュエータからの反発力をせん断力として受けるように構成され、
前記弁体のリブは、円筒状の弁体部の軸線方向に形成され、弁体部の底面と支持リング部の上面とを連結し、調整バネ、アクチュエータからの反発力を圧縮力として受けるように構成されたことを特徴とする請求項１記載の高温出湯防止弁。
【請求項３】
前記弁座の上端面と接してあるいは近接して突起手段が設けられ、前記突起手段によって弁座が保持されることを特徴とする請求項１または請求項２記載の高温出湯防止弁。
【請求項４】
前記突起手段が給湯口に接続される接続管に設けられた突起部、あるいは給湯口に接続される接続管と接して給湯口に設置されるリング状の板部材に設けられた突起部であることを特徴とする請求項３記載の高温出湯防止弁。
【請求項５】
前記アクチュエータの他端部は、ハウジングに形成されたリブに係止され、前記リブが保持手段によって保持されていることを特徴とする請求項１または請求項２記載の高温出湯防止弁。
【請求項６】
前記保持手段が給湯口に接続される接続管の端面であることを特徴とする請求項５記載の高温出湯防止弁。
【発明の詳細な説明】
【技術分野】
【０００１】
本発明は、例えば、電気温水器等の給湯器、湯沸器の吐出側に設置する、湯と水を混合するミキシング機能を有する高温出湯防止弁に関し、特に形状記憶合金製の感温部材を利用した高温出湯防止弁に関する。
【背景技術】
【０００２】
電気温水器や貯湯式湯沸器には、約６０℃から８０℃の湯と水を混合して、例えば、約４０℃の湯水を生成するミキシング機能を有する高温出湯防止弁が用いられている。
この高温出湯防止弁は、電気温水器や貯湯式湯沸器の吐出側に取り付けられ、高温貯湯した湯を適温で出湯するための混合バルブ機能を内蔵し、かつこの混合バルブ機能が故障しても、常時給水口から弁内部に水を取り込み、湯を薄めることで、混合水出口から吐出する混合水温度を火傷しない程度の安全な温度にするものである。
【０００３】
この高温出湯防止弁としては例えば、特開２００６−４６５２７号公報に示すものが知られている。この特開２００６−４６５２７号公報に示された高温出湯防止弁について、図９乃至図１２に基づいて説明する。
【０００４】
図９に示すように、この高温出湯防止１００のハウジング１０１は、図示しない貯湯部からの約６０℃から８０℃の湯が給湯される給湯口１０２と、水道からの水が給水される給水口１０３と、前記給湯口１０２から給湯された湯と給水口１０３から給水された水とが混合され、約４０℃の適温の湯を吐出する吐出口１０４とを備えている。
【０００５】
また、前記ハウジング１０１の内部には、弁体１１０と、前記弁体１１０が近づくと湯流路Ａが狭まり、弁体１１０が離れることにより湯流路Ａが拡がる弁座１２０が設けられている。また、前記給湯口１０２からの湯と給水口１０３からの水とが混合され、その混合された湯温度を感知して弁体１１０を進退作動させるアクチュエータ１３０が設けられている。
【０００６】
更に、弁体１１０と弁座１２０に取り付けられた調整螺子１５０との間には、吐出口から吐出する湯の温度を調整する調整バネ１４０が設けられている。前記調整螺子１５０は、弁座１２０に螺合し、前記調整バネ１４０の長さを変えることにより、吐出口１０４からの吐出される湯の温度を調整する機能を有している。
【０００７】
更に詳しく説明すると、前記弁座１２０は、図１０に示すように円筒状の本体部１２１と、前記本体部１２１の先端部にリブ１２１ａを介して連結された、本体部１２１よりも大径の円筒状の固定部１２２が形成されている。
前記本体部１２１の内側面には螺子部１２１ｂが形成され、前記調整螺子１５０の外側面に形成された螺子部１５０ａと螺合するように形成されている。また、固定部１２２の外周面には螺子部１２２ａが形成され、ハウジング１０１に形成された螺子部（図示せず）に螺合し、前記弁座１２０をハウジング１０１に固定できるように構成されている。
【０００８】
また、弁体１１０は、図１１に示すように円筒状の弁体部１１１と、前記弁体部１１１の下方に位置し、前記アクチュエータ１３０の上端が当接するリング状の支持リング部１１２と、前記弁体部１１１と支持リング部１１２とを連結する軸部１１３とを備えている。前記弁体部１１１の先部は、図９に仮想線で示すように、前記弁座１２０の固定部１２２の内側に収容され、前記弁体部１１１の先端部が弁座１２０の本体部１２１下面に近づく（図９の実線参照）ことにより、湯流路Ａが狭まり、弁体部１１１の先端部が弁座１２０の本体部１２０下面から離れる（図９の仮想線参照）ことにより湯流路Ａが拡がるように構成されている。
尚、前記本体部１１１と軸部１１３、及び支持リング１１２と軸部１１３との連結はリブ１１１ａ、１１２ａによって連結され、本体部１１の内部及び支持リング１１２の内側に湯流路Ａが形成されている。
【０００９】
また、図９に示すように、前記調整螺子１５０の下面に接すると共に、弁体１１０のリブ１１１ａの上面に接するように、調整バネ１４０が設置されている。そして、前記調整バネ１４０の長さは、前記調整螺子１５０を回転させることにより変えることができる。
【００１０】
また、前記アクチュエータ１３０は、前記支持リング１１２の下面と、ハウジング１０１の吐出口１０４側に設けられたリブ１０１ａの上面に接して設置されている。このアクチュエータ１３０は感温部材であり、具体的には形状記憶合金バネである。尚、図９中、符号１６０はＯリングである。
【００１１】
次に、このように構成された高温出湯防止弁１００の動作について、図９に基づいて説明する。
まず、吐出口１０４から吐出される湯の温度が低い場合には、感温部材であるアクチュエータ１３０は収縮しており、調整バネ１４０の反発力によって、弁体１１０の本体部１１１の先端部が弁座１２０の本体部１２１の下面から後退した状態にあり、図９に仮想線で示すように湯流路Ａは拡げられて状態になされる。したがって、給湯口１０２からの湯が流入するため、吐口側から吐出される混合水の温度は上昇する。
【００１２】
一方、吐出口１０４側から吐出される混合水の温度が所定温度を超えると、調整バネ１４０の反発力に抗して、アクチュエータ１３０が伸長し、弁体１１０の弁体部１１１の先端部が弁座１２０の本体部１２１の下面に近づき、湯流路Ａは狭められる。その結果、給湯口１０２からの湯が減少し、吐出口１０４側から吐出される混合水の温度は下降する。
【００１３】
このように、前記感温部材であるアクチュエータ１３０が湯流路Ａと給水流路Ｂが交わる混合域Ｃよりも後流の吐出域Ｄに設けられているために、吐出口から吐出される湯の温度を適正な温度になすことができる。しかも、常時、給水口１０３が水（水道水）が供給されるため、混合水出口から吐出する混合水の温度を火傷しない程度の安全な温度にすることができる。
【特許文献１】特開２０００−２８３３２９号公報
【発明の開示】
【発明が解決しようとする課題】
【００１４】
ところで、長年使用すると、弁体１１０、弁座１２０には、繰り返し熱応力が作用し、破損することが予測される。また、ハウジング１０１内圧が異常に上昇し、弁体１１０、弁座１２０が破損することが予測される。
この弁体１１０、弁座１２０が破損した場合について、図９，１２に基づいて、弁体１１０の支持リング１１２と軸部１１３を連結するリブ１１２ａが破損した場合を一例にとって説明する。
先ず、図９に示すように、リブ１１２ａが破損していない場合、混合域Ｄの湯の温度が所定温度を超えると、調整バネ１４０の反発力に抗して、アクチュエータ１３０が伸長し、弁体１１０の本体部１１１の先端部が弁座１２０の本体部１２１の下面に近づき、湯流路Ａは狭められる。
【００１５】
しかしながら、図１２に示すように、リブ１１２ａが破損した場合、混合域Ｄの湯の温度が所定温度を超えたことを、感温部材であるアクチュエータ１３０が検出し、伸長しても、リブ１１２ａが破損し支持リング１１２が自由な状態におかれているために、調整バネ１４０の反発力に抗して、弁体１１０の弁体部１１１の先端部を弁座１２０の本体部１２１の下面に近づけ、湯流路Ａを狭めることはできない。
更には、弁体１１０には調整バネ１４０の反発力のみが作用するため、弁体１１０を弁座１２０からより離間させ、湯流路Ａを最大に開放した状態になされる。その結果、給湯口１０２からの湯量が増加し、より高温の混合水が吐出口１０４から吐出される。
【００１６】
更にまた、破損した支持リング１１２が給水口１０３の出口を塞ぐ虞もあり、この場合においても給水口１０３からの給水量が低下するため、より高温の混合水が吐出口１０４から吐出される。
【００１７】
このように、弁体１１０、弁座１２０が破損すると、吐出口から所定温度範囲を超える湯が吐出され、ユーザの身体に対して火傷等の危害を与える虞があった。
【００１８】
本発明は、上記技術的課題を解決するためになされたものであり、弁体、弁座が破損しても、吐出口から所定温度範囲を超える混合水（高温の湯）が吐出されることのない高温出湯防止弁を提供することを目的とするものである。
【課題を解決するための手段】
【００１９】
本発明にかかる高温出湯防止弁は、給湯口、給水口及び吐出口を備えたハウジングと、前記ハウジングの内部に進退可能に形成された弁体と、前記弁体が近づくことにより給湯口からの湯流路が狭まり、弁体が離れることにより湯流路が拡がる弁座と、前記給湯口からの湯と給水口からの水とが混合され、その混合された湯温度を感知して弁体を進退作動させるアクチュエータと、前記弁体に一端が接する、吐出口から吐出する湯の温度を調整する調整バネと、前記弁座に螺合し、螺合位置を変えることによって前記調整バネの長さを変える調整螺子とを備えた高温出湯防止弁であって、前記調整螺子は、前記弁座の螺子部と螺合する螺子部が形成された頭部と、前記頭部よりも下方に設けられた、調整バネの他端部が接する鍔部とを備え、前記弁体は、円筒状の弁体部と、前記弁体部の下方に位置し、前記アクチュエータの一端が当接するリング状の支持リング部と、前記弁体部と支持リング部とを連結するリブとを備え、前記調整螺子の鍔部の機械的強度を、弁体のリブの機械的強度よりも小さく形成したことを特徴としている。
【００２０】
このように、前記調整螺子の鍔部の機械的強度を、弁体のリブの機械的強度よりも小さく形成したことにより、調整螺子、アクチュエータからの異常な負荷、ハウジング内部の異常な内圧による負荷、更には経年劣化が生じた場合に、最初に鍔部が破損する。そして、鍔部が破損すると、調整バネは鍔部を押上げ伸長すると共に、調整バネの反発力は弱くなるため、アクチュエータの反発力とのバランスが崩れ、アクチュエータは伸長し、弁体を押上げる。その結果、給湯口からの湯は減少し、吐出口から吐出される湯の温度は低下し、使用者の火傷等の事故は回避される。
【００２１】
ここで、前記調整螺子の鍔部は径方向に形成され、調整バネ、アクチュエータからの反発力をせん断力として受けるように構成され、前記弁体のリブは、円筒状の弁体部の軸線方向に形成され、弁体部の底面と支持リング部の上面とを連結し、調整バネ、アクチュエータからの反発力を圧縮力として受けるように構成されたことが望ましい。
【００２２】
また、前記弁座の上端面と接してあるいは近接して突起手段が設けられ、前記突起手段によって弁座が保持されることが望ましい。このように突起手段によって弁座が保持されるため、弁座の脱落を防止することができ、弁座が破損しても、給湯口からの湯量の増加はなく、使用者の火傷等の事故を回避することができる。
【００２３】
尚、前記突起手段が、給湯口に接続される接続管に設けられた突起部、あるいは給湯口に接続される接続管と接して給湯口に設置されるリング状の板部材に設けられた突起部であることが望ましい。
【００２４】
また、前記アクチュエータの他端部は、ハウジングに形成されたリブに係止され、前記リブが保持手段によって保持されていることが望ましい。
このように保持手段によってリブが保持されるため、リブが破損してもアクチュエータの脱落を防止することができ、給湯口からの湯量の増加はなく、使用者の火傷等の事故を回避することができる。なお、前記保持手段が給湯口に接続される接続管の端面であることが望ましい。
【発明の効果】
【００２５】
本発明によれば、弁体、弁座が破損しても、吐出口から所定温度範囲を超える混合水（高温の湯）が吐出されることのない高温出湯防止弁を得ることができる。
【発明を実施するための最良の形態】
【００２６】
本発明の一実施形態を図１乃至図７に基づいて説明する。尚、図１は本発明の高温出湯防止弁にかかる一実施形態を示す断面図、図２は、図１に示した一実施形態の分解斜視図、図３は、図１に示した弁座を示す図であって、（ａ）は平面図、（ｂ）は側面図、（ｃ）は断面図、図４は図１に示した弁体を示す図であって、（ａ）は断面図、（ｂ）は底面図、（ｃ）は斜視図、図５は、図１に示した調整螺子を示す図であって、（ａ）は平面図、（ｂ）は断面図、図６は湯流路が開放した状態を示す断面図、図７は、図１に示した調整螺子が破損した状態を示す図である。
【００２７】
図１に示すように、この高温出湯防止弁１のハウジング２は、図示しない貯湯部に一端が接続された接続管６０が接続される給湯口３が形成される。この接続管６０によって、ハウジング２内に貯湯部からの約６０℃から８０℃の湯が給湯される。
また、前記ハウジング２には水道からの水が給水される給水口４と、前記給湯口３から給湯された湯と給水口４から給水された水とが混合され、約４０℃の適温の湯を吐出する吐出口５とを備えている。この吐出口５には蛇口に接続される接続管７０の一端が接続される。
【００２８】
前記ハウジング１０１の内部には、弁体１０と、前記弁体１０が近づくことにより湯流路Ａが狭まり、弁体１０が離れることにより湯流路Ａが拡がる弁座２０が設けられている。また、前記給湯口３からの湯と給水口４からの水とが混合され、その混合された湯温度を感知して弁体１０を進退作動させるアクチュエータ３０が設けられている。このアクチュエータ３０は感温部材であり、具体的には形状記憶合金バネである。
また、このアクチュエータ３０の一端は、前記弁体１０の下面に接し、他端はハウジング２の吐出口５側に設けられたリブ５ａの上面に接している。
【００２９】
更に、弁体１０と弁座２０に取り付けられた調整螺子５０との間には、吐出口から吐出する湯の温度を調整する調整バネ４０が設置されている。そして、前記調整バネ４０の長さは、前記弁座２０に螺合した調整螺子５０を回転させることにより変えることができる。
尚、図中の符号６はＯリングである。
【００３０】
このように本発明にかかる高温出湯防止弁は、従来の高温出湯防止弁と同様な構成部品を備えているが、構成部品の構成において、従来の高温出湯防止弁の構成部品と異なる顕著な特徴を有している。
【００３１】
先ず、弁座２０について説明すると、前記弁座２０は、図１，２，３に示すように円筒状の本体部２１と、前記本体部２１よりも大径の円筒状の固定部２２とを備えている。
前記固定部２２は、前記本体部２１の先端部に軸線方向に形成されたリブ２１ａを介して連結されている。更に前記固定部２２は、固定部２２の径方向に形成されたリブ２２ａを介して連結されている。
このように、本体部２１と固定部２２とは、軸線方向形成されたリブ２１ａ及び径方向に形成されたリブ２２ａによって連結されるため、両者を強固に連結でき、破損を防止できる。
【００３２】
また、前記本体部２１の内側面には螺子部２１ｂが形成され、前記調整螺子５０の外側面に形成された螺子部５１ａと螺合するように形成されている。また、固定部２２の外周面には螺子部２２ｂが形成され、ハウジング２に形成された螺子部（図示せず）に螺合し、前記弁座２０をハウジング２に固定できるように構成されている。
【００３３】
次に、弁体１０について、図１，２，４に基づいて説明する。この弁体１０は、図４に示すように円筒状の弁体部１１と、前記弁体部１１の下方に位置し、前記アクチュエータ３０の上端が当接するリング状の支持リング部１２と、前記弁体部１１と支持リング部１２とを連結するリブ１３とを備えている。
【００３４】
前記リブ１３は、円筒状の弁体部１１の軸線方向に形成され、弁体部１１の底面と支持リング部１２の上面とを連結している。
このように、前記リブ１３が円筒状の弁体部１１の軸線に平行に形成されるため、前記リブ１３はアクチュエータ３０、調整バネ４０から圧縮荷重を受ける。
前記リブ１３のような板状部材においては、同一寸法形状の場合、せん断荷重よりも圧縮荷重に対して大きな機械的強度を示す。そのため、前記リブ１３のように圧縮荷重を受けるように円筒状の弁体部１１の軸線に平行に形成した場合、従来の弁体１１０のように支持リング１１２と軸部１１３とを径方向に延びるリブ１１２ａで連結した場合と比べて、機械的強度を大きくすることができる。
【００３５】
また、図１に示すように前記弁体部１１の先部は前記弁座２０の固定部２２の内側に収容され、前記弁体１０が進行して前記弁体部１１の先端部が弁座２０の本体部２１下面に近づくことにより、湯流路Ａが狭まり、前記弁体１０が後退して弁体１１の先端部が弁座２０の本体部２１下面から離れることにより湯流路Ａが拡がるように構成されている。
尚、湯流路Ａは、図１に矢印で示すように、前記弁座２０の本体部２１の外側から前記本体部２１と固定部２２の間を通り、前記弁体部１１の内部及び支持リング１２の内側に形成されている。
【００３６】
更に、調整螺子５０について、図１，２，５に基づいて説明する。この調整螺子５０の頭部５１の外周面には、前記弁座２０の螺子部２１ｂと螺合する螺子部５１ａが形成されている。また、この頭部５１には六角孔５１ｂが形成され、工具を六角孔５１ｂと嵌合させ、回転することにより、調整螺子５０を回転させることができる。
尚、弁座２０の固定部２２に形成された螺子部２２ｂと前記螺子部２１ｂとは、逆方向の螺子が形成されている。これにより、前記調整螺子５０を弁座２０に螺合させる際、弁座２０がハウジング２から脱落するのを防止している。
【００３７】
また、前記頭部５１の下方には、軸線に対して径方向外側に延設された鍔部５２が設けられている。そして、この鍔部５２の下面に調整バネ４０の上端部が接し、この調整バネ４０の下端部は、弁体１０のリブ１３の上面に接している。尚、この鍔部５２は前記調整螺子５０とは別体であって、嵌め込みまたは螺合により前記調整螺子５０と一体化したものであっても良い。
また、前記調整螺子５０は回転させることにより、弁座２０の本体部２１に対して進退させ、前記調整バネ４０の長さを変えることができる。このように調整バネ４０の長さを変えることによって、調整バネ４０の反発力を変えることができる。
【００３８】
前記鍔部５２は、前記したように径方向に延設され、調整バネ４０、アクチュエータ３０からの反発力をせん断力として受けるように構成され、更に前記した弁座２０の本体部２１と固定部２２を連結するリブ２１ａ及びリブ２２ａ、また弁体１０のリブ１３よりも機械的強度が弱くなるように構成されている。
即ち、前記鍔部５２は、前記したように調整バネ４０、アクチュエータ３０からの反発力が作用する部材の中で、機械的強度が最も弱い部分になるように形成され、構成部品の中で、最も破損し易い部分として形成されている。
【００３９】
更に、接続管６０について図１に基づいて説明する。
この接続管６０の端部には径方向に延びる突起部６１が形成され、前記突起部６１の下面が前記弁座２０の上端面と接するように接続管６０がハウジング２に取り付けられる。
前記湯流路Ａは、接続管６０の内部から前記突起部６１の間を通り、弁座２０の本体部２１の外側に形成される。
【００４０】
前記したように、突起部６１が弁座２０の本体部２１の上端面と接しているため、ハウジング２からの弁座２０の脱落を防止できる。
尚、前記突起部６１は弁座２１の螺子部２１ｂの内側まで延設されるのが望ましい。このように前記突起部２０が弁座２１の螺子部２１ｂの内側まで延設されている場合には、前記調整螺子５０が弁座２１からの脱落するのを防止できる。また、前記突起部６１は弁座２０の本体部２１の上端面と必ずしも接する必要はなく、近接して設け、弁座２０の脱落を防止するものであっても良い。
【００４１】
更にまた、接続管７０について図１に基づいて説明する。この接続管５０の端部は、中心部分に貫通孔７０ａが形成れている。そして、前記接続管７０の上端面はハウジング２のリブ２ａの下端面と接するように取り付けられる。このように、接続管７０の上端面がハウジング２のリブ２ａと接し保持しているため、アクチュエータ３０の端部が係止されているハウジング２のリブ２ａが破損しても、アクチュエータ３０の脱落が防止される。
【００４２】
次に、このように構成された高温出湯防止弁１の動作について、図１，６に基づいて説明する。
まず、吐出口５（接続管７０）から吐出される湯の温度が低い場合には、感温部材であるアクチュエータ３０は収縮しており、調整バネ４０の反発力によって、弁体１０の本体部１１の先端部が弁座２０の本体部２１の下面側から後退し、図６に示すように湯流路Ａは拡がった状態になされている。したがって、給湯口３（接続管６０）からの湯が流入するため、吐出口５（接続管７０）側からの混合水の温度は上昇する。
【００４３】
一方、吐出口５（接続管７０）から吐出される湯の温度が所定温度を超えると、調整バネ４０の反発力に抗して、アクチュエータ３０が伸長し、弁体１０の弁体部１１の先端部が弁座２０の本体部２１の下面に近づき、湯流路Ａは狭められる。その結果、給湯口３（接続管６０）からの湯が減少し、吐出口５（接続管７０）からの混合水の温度は下降する。
【００４４】
このように、前記感温部材であるアクチュエータ１３０が湯流路Ａと給水流路Ｂが交わる混合域Ｃよりも後流の吐出域Ｄに設けられているために、吐出口５から吐出される湯の温度を適正な温度になすことができる。
【００４５】
次に、調整螺子４０、アクチュエータ３０からの異常な負荷、あるいは経年劣化が生じ、構成部品が破損した場合について説明する。
前記調整螺子４０、アクチュエータ３０からの負荷が作用するのは、調整螺子５０の鍔部５２、弁体１０のリブ部１３、ハウジング２のリブ２ａ、調整螺子５０と弁座２０との螺合部分、弁座２０のリブ部２１ａ，２２ａに作用する。
【００４６】
ここで、調整螺子４０、アクチュエータ３０からの異常な負荷、あるいは経年劣化によって、ハウジング２のリブ２ａが破損しても、接続管７０の上端面が接しているために、アクチュエータ３０の脱落は防止される。したがって、吐出口５（接続管７０）から高温の湯が吐出されることはない。
【００４７】
また、調整螺子５０と弁座２０との螺合部分が破損しても、調整螺子５０の頭部５１の上端面が接続管６０の突起部６１に当接するため、脱落が防止される。
ここで、調整螺子５０が弁座２０から外れ、突起部６１に当接した際、調整螺子５０は螺合位置から突起部側に（上方に）ずれる。しかし、これに伴い調整バネ４０は伸長し、調整バネ４０の反発力は弱くなる。その結果、調整バネ４０の反発力とアクチュエータ３０の反発力とのバランスが崩れ、アクチュエータ３０は伸長する。
即ち、前記アクチュエータ３０は弁体１０を押上げ、弁体１０の弁体部１１の先端部は弁座２０に当接し、湯流路Ａを狭める、あるいは完全に塞ぐため、給湯口からの湯は減少あるいは遮断される。その結果、吐出口５（接続管７０）から吐出される湯の温度を低下させることができ、使用者の火傷等の事故を回避することができる。
【００４８】
また、弁座２０のリブ部２１ａ，２２ａが破損しても、弁座２０の本体部２１の上面が接続管６０の突起部６１に当接し、また下方向から調整バネ４０、アクチュエータ３０の反発力が作用するため、通常の取付け状態を維持することができる。その結果、給湯口３からの湯量も増大することがないため、使用者の火傷等の事故を回避することができる。
【００４９】
更に、前記調整螺子５０には、前記したように鍔部５２が設けられ、弁体１０のリブ１３よりも機械的強度が小さく形成される。したがって、調整螺子４０、アクチュエータ３０からの異常な負荷、あるいは経年劣化が生じた場合には、弁体１０のリブ部１３よりも最初に鍔部５２が破損する。
尚、調整螺子５０の鍔部５２を、弁体１０のリブ部１３、ハウジング２のリブ２ａ、調整螺子５０と弁座２０との螺合部分、弁座２０のリブ部２１ａ，２２ａのいずれよりも機械的強度を弱く形成するのが好ましい。
【００５０】
次に、調整螺子４０、アクチュエータ３０からの異常な負荷、ハウジング２内の異常な内圧による負荷、あるいは経年劣化等によって、鍔部５２が破損した場合について説明する。
適温の湯が吐出口５（接続管７０）から吐出されていた図６に示す状態において、鍔部５２が破損すると、図７に示すように調整バネ４０は鍔部５２を押上げ、伸長する。その結果、調整バネ４０の反発力は弱くなり、アクチュエータ３０の反発力とのバランスが崩れ、アクチュエータ３０は伸長する。
【００５１】
即ち、前記アクチュエータ３０は弁体１０を押上げ、弁体部１１の先端部が弁座２０当接し、湯流路Ａを塞ぐため、給湯口３（接続管６０）からの湯は遮断される。その結果、吐出口５（接続管７０）から吐出される湯の温度を低下させることができ、使用者の火傷等の事故を回避することができる。
【００５２】
なお、図７には、弁体１０が弁座２０と当接し、湯流路Ａが塞がれた状態を示したが、前記アクチュエータ３０は弁体１０を押上げ、弁座２０と当接することなく、湯流路Ａを狭めるものであっても良い。このように前記湯流路Ａが狭められる場合においても、給湯口３（接続管６０）からの湯は減少し、吐出口５（接続管７０）から吐出される湯の温度を低下させることができ、使用者の火傷等の事故を回避することができる。
【００５３】
このように、鍔部５２が破損した場合に湯流路Ａを完全に遮断するか、一定の湯流路Ａに狭めるようになすかは、調整バネ４０、アクチュエータ３０のバネ定数、長さ、鍔部５１の厚さ、鍔部５１と調整螺子５０の頭部５１の下面との距離等を適宜選択することにより行なうことができる。
【００５４】
また、上記実施形態にあっては、接続管６０の端面に突起部６１を形成したが、前記突起部６１を別部材としても良い。即ち、図８に示すように、リング状の板部材８０の下面に突起部８１を形成し、円筒管の接続管６０と組み合わせて用いても良い。
【産業上の利用可能性】
【００５５】
本発明にかかる高温出湯防止弁は、電気温水器等の給湯器、湯沸器等に好適に用いられる。
【図面の簡単な説明】
【００５６】
【図１】本発明の高温出湯防止弁にかかる一実施形態を示す断面図である。
【図２】図１に示した一実施形態の分解斜視図である。
【図３】図１に示した弁座を示す図であって、（ａ）は平面図、（ｂ）は側面図、（ｃ）は断面図である。
【図４】図１に示した弁体を示す図であって、（ａ）は断面図、（ｂ）は底面図、（ｃ）は斜視図である。
【図５】図１に示した調整螺子を示す図であって、（ａ）は平面図、（ｂ）は断面図である。
【図６】湯流路が開放した状態を示す断面図である。
【図７】図１に示した調整螺子が破損した状態を示す図である。
【図８】本発明の一実施形態の変形例を示す断面図である。
【図９】従来の高温出湯防止弁を示す断面図である。
【図１０】図９に示した弁座及び調整螺子を示す断面図である。
【図１１】図９に示した弁体を示す斜視図である。
【図１２】図９に示した弁体が破損した状態を示す図である。
【符号の説明】
【００５７】
１      高温出湯防止弁
２      ハウジング
２ａ    リブ
３      給湯口
４      給水口
５      吐出口
１０    弁体
１１    弁体部
１２    支持リング
１３    リブ
２０    弁座
２１    本体部
２１ａ  リブ
２１ｂ  螺子部
２２    固定部
２２ａ  リブ
２２ｂ  螺子部
３０    アクチュエータ
４０    調整バネ
５０    調整螺子
６０    接続管
６１    突起部
７０    接続管
【図１】
2008249069.tif 000003
【図２】
2008249069.tif 000004
【図３】
2008249069.tif 000005
【図４】
2008249069.tif 000006
【図５】
2008249069.tif 000007
【図６】
2008249069.tif 000008
【図７】
2008249069.tif 000009
【図８】
2008249069.tif 000010
【図９】
2008249069.tif 000011
【図１０】
2008249069.tif 000012
【図１１】
2008249069.tif 000013
【図１２】
2008249069.tif 000014